(57)【要約】【課題】木製ルアーが持つ外観的な模擬形態（外観的なデザイン）を損なうことなく、且つ、木製ルアーの品質のばらつきを無くし、所望の強度を高め得るようになした木製ルアー並びにその製造方法を提供すること。【解決手段】釣り糸結束アイ５、釣り針連結アイ６、ウエイト７およびリップ４の位置を予め設定して一体化した樹脂成形体２と、魚釣りのための餌の形態を外観的に模擬してなり、前記樹脂成形体を受け入れる樹脂成形体受入溝８を備えた木製ルアーボディー３とからなり、前記樹脂成形体を前記木製ルアーボディーの樹脂成形体受入溝に挿入して固着してなることを特徴とする木製ルアー並びにその製造方法。【選択図】  図１
2004222630.tif 000002
【特許請求の範囲】
【請求項１】
釣り糸結束アイ、釣り針連結アイ、ウエイトおよびリップの位置を予め設定して一体化した樹脂成形体と、魚釣りのための餌の形態を外観的に模擬してなり、前記樹脂成形体を受け入れる樹脂成形体受入溝を備えた木製ルアーボディーとからなり、前記樹脂成形体を前記木製ルアーボディーの樹脂成形体受入溝に挿入して固着してなることを特徴とする木製ルアー。
【請求項２】
前記樹脂成形体が、リップを除いて厚さ寸法ｔの板状のものからなり、前記釣り糸結束アイ、釣り針連結アイおよびウエイトが、それぞれの設置部位において板厚方向の中心面に中心を有するように一体的に固着されていることを特徴とする請求項２に記載の木製ルアー。
【請求項３】
釣り糸結束アイ、釣り針連結アイ、ウエイトおよびリップの位置を予め設定して一体化した樹脂成形体を準備する工程と、魚釣りのための餌の形態を外観的に模擬してなり、前記樹脂成形体を受け入れる樹脂成形体受入溝を備えた木製ルアーボディーを準備する工程と、前記樹脂成形体を前記木製ルアーボディーの樹脂成形体受入溝に挿入して固着する工程とからなることを特徴とする木製ルアーの製造方法。
【発明の詳細な説明】
【０００１】
【発明の属する技術分野】
この発明は、魚釣りの際に用いる魚釣り用の木製ルアー（疑似餌）に関するものであり、特に、当該木製ルアーが持つ外観的な模擬形態（外観的なデザイン）を損なうことなく、且つ、木製ルアーの品質のばらつきを無くし、所望の強度を高め得るようになした木製ルアー並びにその製造方法に関するものである。
【０００２】
【従来の技術】
周知のように、一般的な魚釣り用の木製ルアーは、釣るべき魚の餌となるような小魚、エビ、虫、昆虫およびこれに類するものを外観的、形状的に具現化したものであり、例えば、小魚の形状に似せた成形品であり、釣り糸を結束するための釣り糸結束アイ、釣り針を連結するための釣り針連結アイ、木製ルアーに重量を付加するためのウエイトおよびルアーボディーに対して水受け部として機能するリップなどの各パーツを取り付けたものからなっている。
【０００３】
従来の木製ルアー１１の具体的な構成例を図２各図に示す。従来の木製ルアー１１において、木製のルアーボディー１２に対して、釣り糸１３を結束するための釣り糸結束アイ１４並びに釣り針１５を連結するための釣り針連結アイ１６を取り付ける場合には、例えば、図２Ａ‐１あるいは図２Ａ‐２に示すような方法が採られている。このうち、図２Ａ‐１に示す構成では、半身のルアーボディー１２Ａ、（１２Ｂ）に対し、ワイヤー収容溝１７を形成しておき、このワイヤー収容溝１７内に、釣り糸結束アイ１４並びに釣り針連結アイ１６を備えたワイヤー１８を収容した後、半身のルアーボディー１２Ａ、（１２Ｂ）を貼り合わせることによってルアーボディー１２を形成するか、あるいは、図２Ａ−２に示すように、木製のルアーボディー１２に対して直接的にヒートンＨを打ち込んで、釣り糸結束アイ１４並びに釣り針連結アイ１６として形成するものであった。
【０００４】
一方、従来の木製ルアー１１において、木製のルアーボディー１２に対して、重量を付加するためのウエイト１９を取り付ける場合には、例えば、図２Ｂ‐１あるいは図２Ｂ−２に示すような方法が採られている。このうち、図２Ｂ‐１に示す構成では、半身のルアーボディー１２Ａ、（１２Ｂ）に対し、ウエイト収容穴２０をくり抜いておき、このウエイト収容穴２０内に、ウエイト１９を収容した後、半身のルアーボディー１２Ａ、（１２Ｂ）を貼り合わせることによってルアーボディー１２を形成するか、あるいは、図２Ｂ‐１に示すように、木製のルアーボディー１２に対して外側からウエイト収容穴２１をくり抜き、このウエイト収容穴２１内にウエイト１９を打ち込んで形成するようにしたものであった。
【０００５】
さらに、従来の木製ルアー１１において、木製のルアーボディー１２に対して、リップ２２を取り付ける場合は、図２Ｃに示すように、木製のルアーボディー１２に対して外側からリップ差し込み溝２３を形成しておき、このリップ差し込み溝２３にリップ２２を差し込みによって固着していた。
【０００６】
上記する従来の木製ルアー１１は、木製のルアーボディー１２に対して取り付けるべき釣り糸結束アイ１４、釣り針連結アイ１６、ウエイト１９並びにリップ２２がそれぞればらばらであり、尚且つ作業者によってのセッティングの誤差（各部品の位置や角度）を一定に保つことが非常に困難なものであった。
【０００７】
さらにまた、上記する従来の木製ルアー１１は、強度の面からみても、ルアーに大きな外力が加わった場合、ワイヤーが伸びてしまったり、ヒートン取付け部から浸水することにより本来の強度がそこなわれ、最終的には当該部材が抜けたりする危険性を有するものであり、木製ルアーとしての必要な強度を確保することができないものであった。
【０００８】
【特許文献１】
特開２００１−２５８４２７号公報（図１）
【特許文献２】
特開２０００‐１３９２７６号公報（図４）
【０００９】
【発明が解決しようとする課題】
そこで、この発明は、上記する従来の木製ルアーの構成において指摘されている問題点並びに欠点を解消するべく改良したものであって、特に、当該ルアーが持つ外観的な模擬形態（外観的なデザイン）を損なうことなく、且つ、木製ルアーの品質のばらつきを無くし、所望の強度を高め得るようになした木製ルアー並びにその製造方法を提供することにある。
【００１０】
【課題を解決するための手段】
この発明は、上記する目的を達成するにあたって、具体的には、釣り糸結束アイ、釣り針連結アイ、ウエイトおよびリップの位置を予め設定して一体化した樹脂成形体と、魚釣りのための餌の形態を外観的に模擬してなり、前記樹脂成形体を受け入れる樹脂成形体受入溝を備えた木製ルアーボディーとからなり、前記樹脂成形体を前記木製ルアーボディーの樹脂成形体受入溝に挿入して固着してなることを特徴とする木製ルアーを構成するものである。
【００１１】
さらにまた、この発明は、前記樹脂成形体が、リップを除いて厚さ寸法ｔの板状のものからなり、前記釣り糸結束アイ、釣り針連結アイおよびウエイトが、それぞれの設置部位において板厚方向の中心面に中心を有するように一体的に固着されていることを特徴とする木製ルアーを構成するものでもある。
【００１２】
さらにまた、この発明は、釣り糸結束アイ、釣り針連結アイ、ウエイトおよびリップの位置を予め設定して一体化した樹脂成形体を準備する工程と、魚釣りのための餌の形態を外観的に模擬してなり、前記樹脂成形体を受け入れる樹脂成形体受入溝を備えた木製ルアーボディーを準備する工程と、前記樹脂成形体を前記木製ルアーボディーの樹脂成形体受入溝に挿入して固着する工程とからなることを特徴とする木製ルアーの製造方法を構成するものである。
【００１３】
【発明の実施の態様】
以下、この発明になる木製ルアーについて、図面に示す具体的な実施例にもとづいて詳細に説明する。図１は、この発明にかかる木製ルアーについての具体的な実施例（魚釣りの餌として小魚を模擬した形態のルアーボディーを有する実施例）を示すものであって、図１Ａは、釣り糸結束アイ、釣り針連結アイ、ウエイトおよびリップの位置を予め設定して一体化した樹脂成形体の具体的な構成例を示す正面視した概略的な縦断面図であり、図１Ｂは、その概略的な平面図であり、図１Ｃは、樹脂成形体を受け入れる樹脂成形体受入溝を備えた木製ルアーボディーの一構成例を示す概略的な斜視図であり、図１Ｄは、木製ルアーボディーの樹脂成形体受入溝に樹脂成形体を挿入して固着し、釣り糸並びに釣り針をセットした状態を示す概略的な斜視図である。
【００１４】
まず、この発明になる魚釣り用の木製ルアー１は、基本的には、図１Ａおよび図１Ｂに示す樹脂成形体２と、図１Ｃに示す木製ルアーボディー３との組み合わせによって構成されるものである。前記樹脂成形体２は、厚さ寸法ｔの板状基部２ａに対してリップ４とが一体的に樹脂成形されたものからなっている。さらに、この樹脂成形体２に対しては、その板厚方向の中心面に中心を有するように、釣り糸１３を結束するための釣り糸結束アイ５、釣り針１５を連結するための釣り針連結アイ６、６並びに木製ルアーに重量を付加するためのウエイト７が、樹脂成形段階において、一体的に固着形成されている。
【００１５】
この発明において、前記樹脂成形体２は、樹脂成形によって作られているので、その板状基部２ａの厚さ寸法を変えることなく、釣り糸結束アイ５、釣り針連結アイ６、６並びにウエイト７の位置を変え、リップ４の形状を変えることでモデルチェンジが可能である。
【００１６】
一方、図１Ｃに示す木製ルアーボディー３は、木製品であり、魚釣りのための餌の形態を外観的に模擬してなり、前記樹脂成形体２を受け入れる樹脂成形体受入溝８を備えたものからなっている。この木製ルアーボディー３は、例えば、バルサあるいは桐などの比較的軽い木製素材によるものであり、その外観形態は、着色などにより魚釣り用餌の形態を外観的に模擬するものである。
【００１７】
上記するようにそれぞれ個別に準備された樹脂成形体２と木製ルアーボディー３とを組み合わせることによって木製ルアー１を形成する。この発明では、前記木製ルアーボディー３の樹脂成形体受入溝８に前記樹脂成形体２を挿入して、例えば、適宜の接着剤により接着固定する。
【００１８】
【発明の効果】
以上の構成になるこの発明の魚釣り用の木製ルアーは、構造が簡単であり、製造が容易であって、多量生産に適合し得る点において、経済的にも極めて有利に作用するものであり、さらに、構成部材が少ないものであるという点においても極めて実効性の高いものであるといえる。
【００１９】
さらに、この発明になる魚釣り用の木製ルアーは、樹脂成形体２と木製ルアーボディー３とを個別に準備しておき、これらを組み合わせて接着連結して構成されるものであり、前記樹脂成形体２側に、釣り糸１３を結束するための釣り糸結束アイ５、釣り針１５を連結するための釣り針連結アイ６、６並びに木製ルアーに重量を付加するためのウエイト７、さらにはリップ４を集中的に配設した構成であることから、第１には、それぞれが確実に固定されるため、位置的ズレが発生せず、木製ルアーの品質のばらつきを無くすことができる。第２には、魚などが掛かり、釣り糸に力が加わった場合においても、これらの力は樹脂成形体２にのみ掛かるものであって、外側の木製ルアーボディー３を壊してしまうという危険性がない。第３には、樹脂成形体２における板状基部２ａの厚さ寸法を変えることなく一定にしたままで、釣り糸結束アイ５、釣り針連結アイ６、６並びにウエイト７の位置を変え、リップ４の形状を変えて簡単にモデルチェンジすることができる。
【図面の簡単な説明】
【図１】図１は、この発明にかかる魚釣り用の木製ルアーについての具体的な実施例（魚釣りの餌として小魚を模擬した形態のルアーボディーを有する実施例）を示すものであって、図１Ａは、釣り糸結束アイ、釣り針連結アイ、ウエイトおよびリップの位置を予め設定して一体化した樹脂成形体の具体的な構成例を示す正面視した概略的な縦断面図であり、図１Ｂは、その概略的な平面図であり、図１Ｃは、樹脂成形体を受け入れる樹脂成形体受入溝を備えた木製ルアーボディーの一構成例を示す概略的な斜視図であり、図１Ｄは、木製ルアーボディーの樹脂成形体受入溝に樹脂成形体を挿入して固着し、釣り糸並びに釣り針をセットした状態を示す概略的な斜視図である。
【図２】図２は、従来の木製ルアーの典型的な構成例を示すものであり、図２Ａ‐１は、釣り糸結束アイおよび釣り針連結アイがワイヤーによって連結されているものからなる例を示す概略的な断面図であり、図２Ａ−２は、釣り糸結束アイおよび釣り針連結アイが、ヒートンＨによる例を示す概略的な断面図であり、図２Ｂ‐１は、内部にウエイトを充填する例を示す概略的な断面図であり、図２Ｂ‐２は、外側からウエイトを差し込む構成並びに外側からリップを差し込む構成例を示す概略的な断面図であり、図２Ｃは、仕上げられた従来の木製ルアーの典型的な構成例を示す概略的な正面図である。
【符号の説明】
１  魚釣り用の木製ルアー
２  樹脂成形体
２ａ  樹脂成形体における板状基部
３  木製ルアーボディー
４  リップ
５  釣り糸結束アイ
６  釣り針連結アイ
７  ウエイト
８  樹脂成形体受入溝
１１  従来の木製ルアー
１２  木製のルアーボディー
１３  釣り糸
１４  釣り糸結束アイ
１５  釣り針
１６  釣り針連結アイ
１７  ワイヤー収容溝
１８  ワイヤー
Ｈ  ヒートン
１９  ウエイト
２０  ウエイト収容穴
【図１】
2004222630.tif 000003
【図２】
2004222630.tif 000004